(57)【要約】【課題】本発明は、機器本体への扉の着脱を容易とすることを目的とし、又、機器本体への扉の着脱を安全に行なえるようにすることを目的とする。【解決手段】扉２から下方に延設した固定部材４にシャフト３を固定し、該シャフト３を機器本体１０に設けた支持部材１１の上方に開口する支持凹部１１１に上方から挿入設置し、該固定部材４を、扉２を閉状態に保持するよう付勢する付勢部材７と連結した。【選択図】図１
2010002085.tif 000002
【特許請求の範囲】
【請求項１】
扉から下方に延設した固定部材にシャフトを固定し、該シャフトを機器本体に設けた支持部材の上方に開口する支持凹部に挿入設置し、該固定部材を、扉を閉状態に保持するよう付勢する付勢部材と連結したことを特徴とする扉の取付構造。
【請求項２】
前記固定部材を、機器本体に設置した回動自在の回動部材の一端と連結し、前記付勢部材を前記回動部材の他端に連結したことを特徴とする請求項１に記載の扉の取付構造。
【請求項３】
前記付勢部材は、伸縮自在な弾性部材と長さ調整用部材を備えて構成されていることを特徴とする請求項１又は２に記載の扉の取付構造。
【請求項４】
機器本体の前記扉の下方に設置するカバーに、シャフトの上方で、シャフトと接触或いは近接して位置する係止部材を設けたことを特徴とする請求項１から３のうちいずれか１項に記載の扉の取付構造。
【請求項５】
前記機器はオーブンであることを特徴とする請求項１から４のうちいずれか１項に記載の扉の取付構造。
【請求項６】
上記請求項１から５のうちいずれか１項に記載の扉の取付構造を有する機器。
【請求項７】
扉から下方に延設した固定部材に固定したシャフトを、機器本体に設けた支持部材の上方に開口する支持凹部に挿入し、該固定部材を、扉を閉状態に保持するよう付勢する付勢部材と連結することを特徴とする扉の取付方法。
【発明の詳細な説明】
【技術分野】
【０００１】
本発明は、オーブン等の機器の前面開口部を開閉する扉の取付構造に関する。
【背景技術】
【０００２】
従来のオーブン等の機器の前面開口部を開閉する扉の取付構造として、扉の内部にスプリングの張力を受けて常時扉の側縁から側方へ突出する軸ピンを配設し、該軸ピンをオーブン本体の開口部両側に形成されたピン孔に挿入し、扉を常時閉止方向に付勢するバネの一端を扉の内面に定着したバネ受板の係止孔に係止し、他端をオーブン本体の内面に係止したオーブンにおける扉の取外し構造が開示されている（例えば、特許文献１参照。）。
【０００３】
又、図６〜８に示すように、オーブン等の機器の前面開口部を開閉する扉の取付構造として、扉９０の内部に常時扉９０の側面から側方へ突出する軸９１を、軸９１にビス孔９８を設け、該ビス孔９８に扉９０の下面から挿入したビス９６を螺入して固定して設置し、オーブン１００の前面開口部の両側に設置した柱９２に設けた軸孔９３に軸受９７を介して挿入して扉９０を支持すると共に、扉９０から突出させた連結板９４に、オーブン１００に回動自在に設けられた回動板９５を介して、扉９０を常時閉止方向に付勢するバネ９６及びターンバックル９００に連結しているオーブンにおける扉の取外し構造が使用されている。
【０００４】
【特許文献１】実公平２−２１６９６号公報
【発明の開示】
【発明が解決しようとする課題】
【０００５】
しかし、上記の従来技術では、扉を回動自在に支持するための軸ピン及び軸は、扉内部に設置されると共に、扉の両側面から外方に突出し、該突出部をオーブン等の機器本体の開口部両側に形成されたピン孔、又は開口部の両側に設置した柱に設けた軸孔に挿入して扉を機器本体に支持しているので、機器本体への扉の着脱の際、軸ピン及び軸をピン孔及び軸孔に挿入し或いは抜く作業が必要となる。そして、この作業は煩雑で、熟練を要し、容易に製作や修繕をすることが出来ないという問題点があった。特に柱の強度を補強する軸受を用いている場合には軸受はガタツキを抑えるために寸法に余裕がないので、この問題が顕著であった。
【０００６】
又、機器本体への扉の着脱の際、軸ピン及び軸の扉内部での移動が必要で、この軸ピン及び軸の移動において、特許文献１に記載された構造では、オーブン本体の内部に手を入れて軸ピンを外す必要があり、又図６〜８に示す従来技術では、扉下面のビスを取り外す必要があるので、高温になっているオーブン等の機器の扉を取り外す必要がある場合には、作業が困難で、火傷等の怪我をし易く安全性に欠けるという問題点があった。更に、軸の移動を円滑にするために、軸にビス孔を設けビスを使用するが、ビスの着脱、調整が煩雑であり、又、軸の強度を弱めるという欠点があった。
【０００７】
又、図６〜８に示す従来技術では、オーブン等の機器の前面開口部の両側に柱を設置する必要があるので、オーブン等の機器のデザインが制限されると共にサイズを小さくすることが困難であるという欠点や、柱、ビス等の部品が必要となり、部品点数が増える為、部品コストや組立、分解の作業時間が増加するという問題点があった。
【０００８】
そこで、本発明は、機器本体への扉の着脱を容易とすることを目的とし、又、機器本体への扉の着脱を安全に行なえるようにすることを目的とする。又、扉構造の強度を高めることを目的とする。更に、機器のデザインの制限を少なくし、柱のないすっきりしたデザインを可能とすると共に、コンパクトな設計を可能とし、更に、部品コストを低く抑え、組立、分解の作業時間を短縮させることを目的とする。
【課題を解決するための手段】
【０００９】
上記課題を解決するための手段としての本発明は、扉から下方に延設した固定部材にシャフトを固定し、該シャフトを機器本体に設けた支持部材の上方に開口する支持凹部に挿入設置し、該固定部材を、扉を閉状態に保持するよう付勢する付勢部材と連結したことを特徴とする扉の取付構造である。
【００１０】
又、上記扉の取付構造において、前記固定部材を、機器本体に設置した回動自在の回動部材の一端と連結し、前記付勢部材を前記回動部材の他端に連結したことを特徴とする扉の取付構造である。
【００１１】
又、上記扉の取付構造において、前記付勢部材は、伸縮自在な弾性部材と長さ調整用部材を備えて構成されていることを特徴とする扉の取付構造である。
【００１２】
又、上記扉の取付構造において、機器本体の扉下方に設置するカバーに、シャフトの上方で、シャフトと接触或いは近接して位置する係止部材を設けたことを特徴とする扉の取付構造である。
【００１３】
又、上記扉の取付構造は、オーブンに好適に用いられ、前記機器としてオーブンを採用することが出来る。又、上記扉の取付構造を有する機器である。
【００１４】
更に、扉から下方に延設した固定部材に固定したシャフトを、機器本体に設けた支持部材の上方に開口する支持凹部に挿入し、該固定部材を、扉を閉状態に保持するよう付勢する付勢部材と連結することを特徴とする扉の取付方法である。
【発明の効果】
【００１５】
以上のような本発明によれば、オーブン等の機器本体への扉の着脱を容易とすることが出来た。又、オーブン等の機器本体への扉の着脱を安全に行なえるようになった。又、扉構造の強度を高めることが出来た。更に、オーブン等の機器のデザインの制限を少なくし、柱のないすっきりしたデザインを可能とすることが出来た。又、オーブン等の機器のコンパクトな設計を可能とし、更に、部品コストを低く抑え、組立、分解の作業時間を短縮させることが出来た。
【００１６】
又、特に付勢部材は、スプリング等の伸縮自在な弾性部材とターンバックル等の長さ調整用部材を備えて構成されていることにより、調整が容易なターンバックル等の長さ調整用部材を調整することで、スプリング等の伸縮自在な弾性部材の付勢力を弱めたり、強めたり調整することが容易になった。
【００１７】
又、特に機器本体の扉下方に設置する着脱自在のカバーの内側に、下方又は側方に開口する係止凹部を有する係止部材を設け、該係止凹部に前記シャフトを挿入したことにより、シャフトの上方への移動を規制することが可能となり、シャフトの保持をより確実なものとすることが出来た。
【発明を実施するための最良の形態】
【００１８】
以下本発明の実施の形態を図に従って説明する。図１に示すように、オーブン１は、オーブン本体１０の前面に開口部１９を有し、該開口部１９を開閉する扉２がシャフト３によりオーブン本体１０に回動自在に軸支されて構成されている。尚、オーブン１は業務用ガスオーブンを図示しているが、本発明のオーブンはこれに限定されず、家庭用のガスオーブン、電子オーブンをも含むものである。又、機器としてオーブンを図示し説明するが、機器はオーブンに限定されず、ガスレンジや電子レンジ等のレンジ、食器洗浄器、炊飯器、食器整理棚等の開口部を開閉する扉を備える機器を含むものである。
【００１９】
図２及び４に示すように、シャフト３は、扉２の内面２２の両側端部下部から下方に一対の板状の固定部材４を延設し、固定部材４に設けた挿入孔４１にシャフト３を挿入し、溶接等で固定している。固定部材４は、扉２の内面２２の両側端部下部から下方に延びる基部４７と基部４７から扉２の真下に延びる延設部４８で構成され、延設部４８に挿入孔４１を設け、シャフト３を設置することで、シャフト３を扉２の下面２３の真下に位置するようにしている。又、扉２と延設部４８間の隙間４０は、扉２を開いた際に後述するカバー５の前面板５５が挿入され、前面板５５に切欠を設ける必要をなくしている。このように、シャフト３は扉２の外側に設置されている。
【００２０】
尚、固定部材４は、前面板５５に切欠を設ける場合、或いはカバーを設けない場合には、扉２の下面２３の両側端部から、特に横に張出す延設部を設けることなく、下方に延設してもよく、又、板状に限定されず、例えば棒体、柱状体等の形状としてもよい。シャフト３は、扉２の下面２３の真下に位置するように設置することが、バランス、シャフト３の後述する支持凹部１１１からの抜けを防止する等のために好ましい。
【００２１】
図２、４及び５等に示すように、オーブン本体１０の下部には、上方に開口する支持凹部１１１を設けた板状の支持部材１１が、支持凹部１１１が扉２の下面２３の真下に位置するように固定されている。支持凹部１１１は上方からシャフト３を挿入し、シャフト３を回動自在に支持可能であればその形状は特に限定されないが、底面がシャフト３の形状に対応した円弧状をなし、シャフト３の直径と同等以上の深さを有することが、円滑な回動、確実な保持のために好ましい。又、支持部材１１は扉２で開閉するオーブン本体１０の前面開口部１９の両端部下方に一対設け、シャフト３の両端部を夫々の支持凹部１１１に上方から挿入して設置しているが、扉２を回動自在に支持可能であれば、支持部材１１の形状は板状に限定されず、又、設置数も限定されない。又、支持凹部１１１の位置は、シャフト３の位置に対応させて、適宜変更して設置する。
【００２２】
このようにして、扉２から下方に延設した固定部材４にシャフト３を固定し、シャフト３をオーブン本体１０に設けた支持部材１１の上方に開口する支持凹部１１１に上方から挿入して、扉２をオーブン本体１０にシャフト３を中心に回動自在に設置している。
【００２３】
尚、図５に示すように、シャフト３の両端部、固定部材４より外側に貫通孔３３を設け、棒体を曲折して構成したクリップ３９の一部を貫通孔３３に挿入して、シャフト３にクリップ３９を支持部材１１と係止可能に固定し、シャフト３の横ずれを防止することが好ましい。このような貫通孔を設けても、その径は細く、しかも固定部材４より外側に設けるので、シャフト３の強度に影響を与えず、強度のあるシャフトとすることが出来る。
【００２４】
図４、５に示すように、一対の固定部材４の夫々の下端部、詳しくは基部４７の下端部に設けた接続孔４２には、連結棒６１の曲折した上端部６１１を挿入して係止させ、連結棒６１の曲折した下端部６１２を、オーブン本体１０に設置した回動自在の回動部材６の一端に設けた下方に開口する凹部６０に係止させ、固定部材４と回動部材６とを連結している。
【００２５】
回動部材６は、へ字型の板状部材であり、曲折部６５を頂点として左右下方向に延びた形状をし、オーブン本体１０の扉２の下方に設けた支持ブラケット６９の軸孔６９１に支持された回動軸６８を曲折部６５に設けた図示しない孔に挿入して、回動軸６８を中心に回動自在に支持されている。回動部材６の他端には連結孔６４が設けられ、付勢部材７の端部が挿入され、係止され、回動部材６と付勢部材７とが連結している。従って、一対の回動部材６は付勢部材７を介して連結されている。又、固定部材４は回動部材６を介して付勢部材７と連結している。回動部材６及び付勢部材７はシャフト３の下方に位置している。
【００２６】
尚、接続孔４２は、扉２が閉状態から開状態に移動する際に下方から上方へ移動すればよく、必ずしも固定部材４の下端部に設けなくてもよい。又、接続孔４２、凹部６０、連結孔６４は、夫々孔又は凹部でなくても、連結棒６１、付勢部材７、スプリング７１又はターンバックル７２の先端部と係合可能であれば、凹部又は孔の形状を適宜選択可能である。
【００２７】
付勢部材７は、扉２を閉状態に保持するよう付勢すると共に、支持凹部１１１からシャフト３が抜けることを防止する部材であり、スプリング７１等の伸縮自在な弾性部材のみで構成してもよいが、図２に示すように、スプリング７１等の伸縮自在な弾性部材及びターンバックル７２等の長さ調整用部材を連結して構成することが好ましい。このような構成とすることで、長さの調整が容易なターンバックル７２等の長さ調整用部材を調整することで、スプリング７１の付勢力を弱めたり、強めたり調整することが容易になる。尚、スプリング７１は引張用である。
【００２８】
付勢部材７をスプリング７１及びターンバックル７２を連結して構成した場合、スプリング７１のターンバックル７２と連結しない端部は、一方の回動部材６に、連結孔６４に挿入され、係止されて連結され、ターンバックル７２のスプリング７１と連結しない端部は、他方の回動部材６に、連結孔６４に挿入され、係止されて連結される。
【００２９】
ここで、扉２を開ける際の動作を説明すると、取手２５を手前下方に引くと、シャフト３を中心に一対の固定部材４が回転し、一対の連結棒６１が上方へ移動する。そして、一対の回動部材６が回動軸６８を中心に回転して、スプリング７１及びターンバックル７２を両側から引っ張り、スプリング７１が伸びることにより、スプリング７１の張力が増し、扉２の急激な開動作を防止し、更に扉４を閉動作を補助して閉操作を楽にすることが出来る。扉２を全開状態にした場合には、扉２の自重による重力がスプリング７１の引っ張り力に勝り、勝手に閉まってしまうことはない。
【００３０】
又、上述の構成から、付勢部材７により、固定部材４を介してシャフト３は常時下方へ引っ張られているので、支持凹部１１１からシャフト３が抜けることを防止することが出来る。
【００３１】
オーブン本体１０の扉２の下方には、着脱自在のカバー５が設置されている。カバー５は、扉２の下部に設置された目視出来るシャフト３や、スプリング７１及びターンバックル７２等を隠し、オーブン１を意匠的に優れたものにするためのものであり、図５に示すように、前面板５５の上端からオーブン本体１０内方に延設した上面板５３、前面板５５の下端から上面板５３と同方向に延設した下面板５４、側面板５６を備えて構成され、オーブン本体１０にビス５９等で固定している。カバー５が設置されると、上面板５３は支持凹部１１１及びシャフト３の上方で、シャフト３と接触或いは近接して位置する。このような構成とすることで、カバー５をオーブン本体１０に設置することで、上面板５３がシャフト３の上方への移動を規制することが可能となり、シャフト３を係止する係止部材となり、上述のように付勢部材７により、固定部材４を介してシャフト３が常時下方へ引っ張られていることと相まって、シャフト３の保持をより確実なものとすることが出来る。
【００３２】
又、上面板５３を係止部材としてシャフト３の抑えに用いるのではなく、カバー５の内側に、下方又は側方に開口する係止凹部５２を有する板体等で形成される係止部材５１を、オーブン本体１０の内方に突設することとしてもよい。このような構成の場合、カバー５をオーブン本体１０に設置することで、係止凹部５２にシャフト３を挿入し、シャフト３の上方への移動を規制することが可能となる。尚、係止部材は、シャフト３の上方で、シャフト３と接触或いは近接させた直線状の棒状或いは板状の構成としてもよい。
【００３３】
次に、オーブン１０に扉２を取り付ける方法の一例を説明する。先ず、シャフト３の両端部を、オーブン本体１０の前面開口部の両端部下方に設けられた一対の支持部材１１の上方に開口する支持凹部１１１に上から挿入し、支持部材１１，１１にシャフト３を係止し、回動自在に支持させる。次いで、扉２の両側端部から下方に延設した固定部材４の接続孔４２に、夫々スプリング７１又はターンバックル７２と支持ブラケット６９を介して連結した連結棒６１を挿入し、係止する。尚、この取付時には、ターンバックル７２を緩めておき、取付完了後に、締め付けることとすると、取り付けがより容易となる。
【００３４】
更に、扉２の下方に、カバー５を設置する。この際、上面板５３は支持凹部１１１及びシャフト３の上方で、シャフト３と接触或いは近接して位置し、シャフト３を係止する係止部材となる。尚、カバー５に別個の係止部材５１が設けられている場合には、係止凹部５２にシャフト３を挿入して設置する。
【００３５】
扉２を取り外す時には、カバー５を取外し、係止部材のシャフト３への係止を解除する。そして、連結棒６１と固定部材４又は支持ブラケット６９との連結を解く。この際、ターンバックル７２を緩めておくとよい。最後に、扉２を上方に持ち上げて、支持凹部１１１からシャフト３を抜いて扉２を取り外す。
【図面の簡単な説明】
【００３６】
【図１】本発明一実施例正面図
【図２】本発明一実施例部分正面図
【図３】本発明一実施例扉部分斜視図
【図４】本発明一実施例部分拡大正面図
【図５】本発明一実施例部分側面図
【図６】従来技術部分正面図
【図７】従来技術部分拡大正面図
【図８】従来技術部分側面図
【符号の説明】
【００３７】
１      オーブン
１０    オーブン本体
１１    支持部材
１１１  支持凹部
２      扉
３      シャフト
４      固定部材
５      カバー
５３    上面板
６      回動部材
６１    連結棒
７      付勢部材
７１    スプリング
７２    ターンバックル
【図１】
2010002085.tif 000003
【図２】
2010002085.tif 000004
【図３】
2010002085.tif 000005
【図４】
2010002085.tif 000006
【図５】
2010002085.tif 000007
【図６】
2010002085.tif 000008
【図７】
2010002085.tif 000009
【図８】
2010002085.tif 000010